(57)【要約】【課題】放送されたＭＰＥＧ２トランスポート・ストリームを記録する際に、多重化された管理情報であるＳＩＴ（Ｓｙｓｔｅｍ  Ｉｎｆｏｒｍａｔｉｏｎ  Ｔａｂｌｅ）やＰＭＴ（Ｐｒｏｇｒａｍ  Ｍａｎａｇｅｍｅｎｔ  Ｔａｂｌｅ）が提供する属性と、実際のＡＶデータの属性が異なる場合に、記録する管理情報とＡＶデータとが合致するように修正する。【解決手段】ＡＲＩＢ放送規格などでは、放送時に付与される管理情報であるＳＩＴやＰＭＴが提供する属性情報が実際のＡＶデータのものと異なることがある。このとき、録画と同時にＭＰＥＧ２トランスポート・ストリームをデコードし、そのデコード結果と、同ストリームの管理情報を比較し、管理情報がデコード結果と異なっている場合に、管理情報部分をデコード結果で修正した後、記録する。【選択図】図５
2006217322.tif 000002
【特許請求の範囲】
【請求項１】
管理情報とＡＶデータとを受信する受信部と、
前記ＡＶデータをデコードするデコード部と、
前記管理情報と前記ＡＶデータを記録媒体に記録する記録制御部とを備え、
前記記録制御部は、前記デコード部でデコードされたＡＶデータの属性情報と前記管理情報とを比較し、前記管理情報が前記属性情報と異なるとき、前記管理情報を前記属性情報に置き換えて前記記録媒体に記録する記録再生装置。
【請求項２】
前記ＡＶデータはＭＰＥＧトランスポート・ストリームであり、前記属性情報は前記ＭＰＥＧトランスポート・ストリームに含まれる情報である請求項１記載の記録再生装置。
【請求項３】
前記管理情報は少なくとも一つのＡＶ属性情報を含み、前記属性情報は少なくとも一つのＡＶ属性情報を含み、
前記記録制御部は、前記管理情報に含まれる複数のＡＶ属性情報のうち、前記属性情報に含まれるＡＶ属性情報と異なるＡＶ属性情報について、前記管理情報に含まれるＡＶ属性情報を前記属性情報に含まれるＡＶ属性情報に置き換えて記録する請求項１または２いずれかに記載の記録再生装置。
【請求項４】
前記ＡＶ属性情報は、少なくとも映像フォーマット、解像度、アスペクト比、音声フォーマット、音声チャンネル数のいずれかを含んでいる請求項２または３いずれかに記載の記録再生装置。
【請求項５】
前記記録制御部は、前記管理情報に含まれるＡＶ属性情報を前記属性情報に含まれるＡＶ属性情報に置き換えて記録するとき、ＡＶ属性情報が置き換えられた旨の情報も前記記録媒体に記録する請求項３記載の記録再生装置。
【請求項６】
管理情報とＡＶデータとを受信し、
前記ＡＶデータをデコードして属性情報を抽出し、
前記属性情報と前記管理情報とを比較し、前記管理情報が前記属性情報と異なるとき、前記管理情報を前記属性情報に置き換えて記録する記録再生方法。
【発明の詳細な説明】
【技術分野】
【０００１】
本発明は、放送されたＭＰＥＧ２トランスポート・ストリームを記録・再生する技術に関するものである。
【背景技術】
【０００２】
近年、日本国内デジタル放送の開始により、ＡＲＩＢ規格で採用されたＭＰＥＧ２トランスポート・ストリームによる放送が運営されるようになった。また、それと同時にこのＭＰＥＧ２トランスポート・ストリームを大容量のハードディスクドライブや、光ディスクを用いた記録再生装置が開発されるようになった。
【０００３】
これら記録再生装置においては、録画時においてＡＶデータ本体と同時に、そのＡＶデータの映像と音声の属性情報（映像フォーマット・解像度・アスペクト比・音声フォーマット・音声チャンネル数）を生成し管理情報として記録しているが、ＭＰＥＧ２トランスポート・ストリームを再エンコードすることなく記録する装置においては、管理情報をＡＲＩＢ放送規格において規定されている、多重化された管理情報であるＳＩＴ（Ｓｙｓｔｅｍ  Ｉｎｆｏｒｍａｔｉｏｎ  Ｔａｂｌｅ）内のコンポーネント記述子やＰＭＴ（Ｐｒｏｇｒａｍ  Ｍａｎａｇｅｍｅｎｔ  Ｔａｂｌｅ）などから取得し、生成している（特許文献１参照）。
【０００４】
しかし、これらの管理情報は放送局側で任意の値で挿入されており、必ずしも正しい管理情報が入っているとは限らないため、これらを用いて属性情報を生成すると、記録されたＡＶデータと合致しない属性情報となることがある。
【０００５】
デジタル放送ストリームを再エンコードすることなく記録することが出来る大容量ディスクのひとつであるＢｌｕ−Ｒａｙ  Ｄｉｓｃにおいて、データ記録の規格として採用されているＢｌｕ−ｒａｙ  Ｄｉｓｃ  ＲｅＷｒｉｔａｂｌｅ  Ｆｏｒｍａｔにおいては、記録されたストリーム本体であるストリームデータと、そのストリームの情報を保持するクリップ情報データを記述することが規定されている。
【０００６】
このクリップ情報データは、ストリームデータの映像と音声ごとにストリームコーディング情報と呼ばれる、ストリームデータ内に含まれる全ての映像と音声の属性（映像フォーマット・解像度・アスペクト比・音声フォーマット・音声チャンネル数）を記述した記述子が格納されており、ストリームデータをデコードすることなく、ストリームデータの属性情報を知ることが出来るようになっている。このストリームコーディング情報は、クリップ情報内の、プログラム情報記述子の中に含まれている。
【０００７】
通常のストリームデータのデコードにおいては、この属性情報を利用することなく、ＭＰＥＧのデータのフォーマットに則り、デコードを行い、デコード結果からディスプレイなどの出力装置の設定を行い、映像、音声の再生を行うことが出来るが、これでは、再生開始まで時間がかかったり、先頭部分が正しく出力できないなどの問題が発生する。そのため、デコードを開始する前に、あらかじめ管理情報部分から出力に必要な属性情報を読み出しておき、出力装置に然るべき設定を行うことが一般的である（特許文献２参照）。
【０００８】
また、このようなデジタルレコーダーにおいては、再生することなしに、記録された番組の情報を表示するなどの機能を持つものもあり、その場合、記録されたストリームコーディング情報内の属性情報を読み出し、表示に使用している。
【０００９】
また、同一の属性情報をも持つ連続したストリームにおいて、出力装置やデコード装置の設定を変えることなく滑らかに連続した再生を行うシームレス再生（特許文献３参照）が、再エンコードすることなしに記録したストリームにおいて可能かどうかの判定においては、管理情報を利用するため非常に有用である。そのため、クリップ情報部分には正しい情報が書き込まれるべきである。
【特許文献１】特開平１１−２２０６９２号公報
【特許文献２】特開２００２−２５１８３０号公報
【特許文献３】特開２００２−３２０２０１号公報
【発明の開示】
【発明が解決しようとする課題】
【００１０】
しかし、このＢｌｕ−ｒａｙ  Ｄｉｓｃ  ＲｅＷｒｉｔａｂｌｅ  Ｆｏｒｍａｔにおいては、クリップ情報データに記述されている属性情報（映像フォーマット・解像度・アスペクト比・音声フォーマット・音声チャンネル数）と、ＭＰＥＧフォーマットで規定している所定エリア（シーケンスヘッダ）に記述される、映像フォーマット・解像度・アスペクト比情報や、各オーディオフォーマット（リニアＰＣＭ・ＡＣ−３・ＤＴＳ・ＡＡＣ）や、それぞれのフォーマットでの音声チャンネル数情報の内容とに整合を取ることを規定しておらず、データ作成時の問題や、意図的に間違ったデータを作成した際に、クリップ情報内のストリームコーディング情報部分に、ストリームデータが本来持つ属性情報が書き込まれていない状態が発生しうる。
【００１１】
このようなストリーム情報とクリップ情報の整合が取れていないデータを再生する場合、ストリームデータをデコードする前に、クリップ情報に従って映像出力装置や音声出力装置の設定を行うと、本来出力されるべき結果が得られないという問題が発生する。
【００１２】
また、ストリームの持つ属性情報をユーザーに対して表示、通知する際に、デコードを行わず、クリップ情報のみを参照して表示した場合、間違った情報を表示してしまうという問題が発生する。
【課題を解決するための手段】
【００１３】
管理情報とＡＶデータとを受信する受信部と、ＡＶデータをデコードするデコード部と、管理情報と前記ＡＶデータを記録媒体に記録する記録制御部とを備え、記録制御部は、デコード部でデコードされたＡＶデータの属性情報と管理情報とを比較し、管理情報が属性情報と異なるとき、管理情報を属性情報に置き換えて記録媒体に記録する。
【発明の効果】
【００１４】
誤った管理情報を保持しているストリームにおいても、記録時に管理情報を修正することで、デコード前に正しい属性情報を得ることが出来るようになり、デコード前の出力装置の設定を正しく行うことが出来るようになる。
【００１５】
また、再生する事前に得られた、ふたつ以上のストリームデータの属性情報が同一であった際に、連続でデコードし、一続きのストリームのように再生するシームレス再生における誤動作を防止することが出来る。
【００１６】
また、管理情報上音声チャンネル数の変化が無いが、実際のストリームでは変化しているようなストリームの場合、デコード結果により管理情報の音声チャンネル数を修正することにより、番組とＣＭの変化点検出などにも利用することが出来る。
【発明を実施するための最良の形態】
【００１７】
この発明は、映像データを圧縮したビデオ情報と音声データを圧縮したオーディオ情報と、映像・音声の属性情報を含む管理情報をもつ記録形式により記録された映像・音声データがの整合が取れていないデータに対して修正を行うものである。
【００１８】
ＭＰＥＧストリームデータ内のシーケンス・ヘッダと呼ばれるＡＶデータ本体の管理情報には規格上、正しい値を格納することが定められているため、ＡＶデータデコード時に、正しくデコードが終了した時、デコードした結果から得られた属性情報と管理情報に含まれる属性情報とを比較し、管理情報がデコード結果と異なっていれば、管理情報部が間違っていることが分かる。この時に管理情報部分を修正し、蓄積部に記録すれば、記録されたＡＶデータに対して、改めてデコードを行うことなしに正しい管理情報を得ることが出来る。
【００１９】
また、デコードが正しく完了できなかった場合は、シーケンス・ヘッダ内の情報が不正である可能性があるため、クリップ情報内の属性情報は修正しない。
【００２０】
以下、本発明の実施の形態について説明する。
【００２１】
（実施の形態）
図１は、ＭＰＥＧ２トランスポート・ストリーム記録再生装置のシステム構成図である。矢印は、データの流れを示している。
【００２２】
本発明にかかる記録再生装置は、放送されているＭＰＥＧ２トランスポート・ストリームを受信するチューナー装置部１０と、多重化されたＭＰＥＧ２トランスポート・ストリームを管理情報部分とＡＶデータ部分に分離するデータ分離部２０と、分離されたＡＶデータをデコーダと記録制御部５０に転送し、同時に管理情報部分を記録制御部に転送する視聴制御部３０と、視聴制御部３０から転送されたＡＶデータをデコード・再生し、そのデコード結果を記録制御部５０に通知するデコーダ制御部４０と、視聴制御部３０より転送されたＡＶデータと管理情報受け取り、かつ、デコーダ制御部４０からのデコード結果を受け取り、記録媒体に記録する記録制御部５０から構成される。
【００２３】
このように構成された記録再生装置の動作の概要について図５を用いて説明する。まず放送波を受信し（Ｓ５０）、放送波に含まれるＡＶデータをデコード処理する（Ｓ５１）とともに、放送波に含まれる管理情報を取得する（Ｓ５２）。そしてデコード結果と管理情報とが一致するか否かを判断し（Ｓ５３）、一致しなければデコード結果に基づいて管理情報を修正し、修正された管理情報を蓄積部に格納する（Ｓ５４）。
【００２４】
次に詳細な動作について、図２から図４を参照しながら説明する。まず、チューナー部１０が受信した多重化されたＭＰＥＧ２トランスポート・ストリームをデータ分離部２０に転送し（Ｓ１０）、多重化されたＭＰＥＧ２トランスポート・ストリームを受けたデータ分離部２０が、このＭＰＥＧ２トランスポート・ストリームをＡＶデータと管理情報に分離した後メモリ上に保持し、視聴制御部３０に対してそれぞれのデータが格納されている場所を通知する。通知を受けた視聴制御部３０は、ＡＶデータをデコーダ制御部４０と記録制御部５０に、管理情報を記録制御部５０に転送する（Ｓ１１）。ＡＶデータを受け取ったデコーダ制御部４０は、転送されたＡＶデータのフォーマット規格に則ってデコードを行い（Ｓ１２）、デコードが正しく行われた場合は、そのデコード結果に含まれるＡＶ属性情報（映像フォーマット・解像度・アスペクト比・音声フォーマット・音声チャンネル数）を記録制御部５０に対して通知する（Ｓ１４）。デコーダ制御部４０からデコード結果を受け取った記録制御部５０は、そのデコード結果と、視聴制御部３０から転送された管理情報を比較し（Ｓ２０）、デコード結果に含まれるＡＶ属性情報と管理情報に含まれるＡＶ属性情報との間に差異があった場合、デコード結果により管理情報を上書き修正して記録する。このとき、デコーダ制御部４０が記録しようとしているストリームとは異なるストリームをデコードしている場合（別系統の視聴制御部からデータが転送されている場合など）には、それを記録制御部に通知し、記録制御部５０は視聴制御部３０から受け取った管理情報を修正せずにそのまま記録する。これにより、記録中のデコーダ制御部の占有を防ぐことが出来る。
【００２５】
一方デコードが正しく完了できなかった場合は、デコードが正しく完了できなかった旨を記録制御部５０に対して通知する（Ｓ１５）。デコードが正しく完了できなかった場合には、記録制御部５０は視聴制御部３０から受け取った管理情報は修正せずそのまま記録する。
【００２６】
管理情報を上書きする手順は次のとおりである。まず映像フォーマットがクリップ情報と同一か否かの判断を行い（Ｓ２１）、同一でなければ管理情報部の映像フォーマットをデコード結果に修正する（Ｓ２２）。同様に解像度、アスペクト比、音声フォーマット、音声チャンネル数がクリップ情報と同一か否かの判断を行い（Ｓ２３、Ｓ２５、Ｓ２７、Ｓ２９）、同一でない場合には管理情報部の解像度、アスペクト比、音声フォーマット、音声チャンネル数をデコード結果に修正する（Ｓ２４、Ｓ２６、Ｓ２８、Ｓ３０）。
【００２７】
図６はＢｌｕ−ｒａｙ  Ｄｉｓｃ  ＲｅＷｒｉｔａｂｌｅ  Ｆｏｒｍａｔにおけるクリップ情報のフォーマットを示しており、（ａ）はクリップ情報のデータ構造、（ｂ）はクリップ情報に含まれるプログラム情報のデータ構造、（ｃ）はプログラム情報に含まれるストリームコーディング情報のデータ構造を示している。（ｂ）のプログラム情報は、ディスクに含まれるストリームごとに規定されるものであるため、複数のストリームが存在する場合には、その分だけプログラム情報が存在することになる。
【００２８】
上述の情報映像フォーマット、解像度、アスペクト比、音声フォーマット、音声チャンネル数は、クリップ情報の中のプログラム情報内のストリームコーディング情報に含まれる情報であり、Ｂｌｕ−ｒａｙディスクを対象として書き込む際には、このデータ構造内に記録される。
【００２９】
このようにストリームデータ内に含まれる全ての映像と音声のＡＶ属性を記述した記述子が格納されているため、ストリームデータをデコードすることなく、ストリームデータの属性情報を知ることができるようになっている。
【００３０】
なお、記録制御部５０では、放送で受信したトランスポートストリームをそのまま記録しても良いし、デコードしたデータを再エンコード等して記録しても良い。
【００３１】
なお、放送波から受信した管理情報に含まれる属性情報と、ＡＶデータをデコードして得られた属性情報とに相違があった場合、管理情報に含まれる属性情報に変えてＡＶデータをデコードして得られた属性情報を記録することとしたが、この際に、属性情報に相違が生じていた旨の情報（マーカー等）を同時に記録しても良い。
【００３２】
また、映像／音声の属性情報切り替わり地点を検出し、そこにマーカーを記録してもよい。
【００３３】
また、管理情報上音声チャンネル数の変化が無いが、実際のストリームでは変化しているようなストリームの場合、デコード結果により管理情報の音声チャンネル数を修正することにより、番組とＣＭの変化点検出などにも利用することが出来る。
【００３４】
なお、本実施の形態においては、放送波を受信し、放送波に含まれる管理情報内のＡＶ属性情報とＡＶデータをデコードして得られたＡＶ属性情報とを比較したが、記録媒体を再生する場合にも本発明を実現できる。この場合は、記録媒体に含まれる管理情報内のＡＶ属性情報とＡＶデータをデコードして得られたＡＶ属性情報とを比較すればよい。
【産業上の利用可能性】
【００３５】
Ｂｌｕ−Ｒａｙ  ＲｅＷｒｉｔａｂｌｅ  ＦｏｒｍａｔにおけるＭＰＥＧトランスポート・ストリームに限らず、実データと管理情報が分かれており、かつ、そこに不整合が生じることが認められるような映像・音声データを記録・再生するシステムにも適用することが出来る。
【図面の簡単な説明】
【００３６】
【図１】本発明の記録再生装置のブロック図
【図２】データ読み出しからデコード結果を取得するまでの動作を示すフローチャート
【図３】デコード結果とクリップ情報との比較動作のフローチャート
【図４】クリップ情報変更のフローチャート
【図５】本発明の再生装置の動作の概要を示すフローチャート
【図６】クリップ情報のデータ構造を示す図
【符号の説明】
【００３７】
１０    チューナー部
２０    データ分離部
３０    視聴制御部
４０    デコーダ制御部
５０    記録制御部
【図１】
2006217322.tif 000003
【図２】
2006217322.tif 000004
【図３】
2006217322.tif 000005
【図４】
2006217322.tif 000006
【図５】
2006217322.tif 000007
【図６】
2006217322.tif 000008